(57)【要約】【課題】ポンプやタンクのような円筒状の重量物を昇降、移動、および回転可能に支持し、該円筒状重量物を所定部位に横向き状に取り付け、或いは取り外しする作業を少人数で安全に効率よく行えるようにする。【解決手段】昇降動可能な受台５を備えたテーブルリフタ１と、該受台上に適宜間隔を離して平行に固設された一対のガイドレール１３ａ，１３ｂと、両端部を夫々前記ガイドレールに支持することにより該ガイドレールに沿って夫々独立して摺動自在なるように設けられた一対の支持フレーム１６ａ，１６ｂと、該各支持フレームをガイドレールの適宜位置に固定させる位置固定手段１８と、該各支持フレーム上に適宜間隔を離して設けられ円筒状重量物３０を横置き状に載置することで該円筒状重量物を回転自在に支持する一対のローラ２５ａ，２６ａ，２５ｂ，２６ｂとからなる。【選択図】図１
2006175961.tif 000002
【特許請求の範囲】
【請求項１】
受台上に適宜間隔を離して平行に固設された一対のガイドレールと、両端部を夫々前記ガイドレールに支持することにより該ガイドレールに沿って夫々独立して摺動自在なるように設けられた一対の支持フレームと、該各支持フレームをガイドレールの適宜位置に固定させる位置固定手段と、該各支持フレーム上に適宜間隔を離して設けられ円筒状重量物を横置き状に載置することで該円筒状重量物を回転自在に支持する一対のローラとからなることを特徴とした円筒状重量物支持装置。
【請求項２】
受台はテーブルリフタにより昇降動可能に支持されていることを特徴とした請求項１に記載の円筒状重量物支持装置。
【請求項３】
支持フレーム上に設けられた一対のローラの間隔を円筒状重量物の外径に合わせて調節し得るようにしたことを特徴とする請求項１または２に記載の円筒状重量物支持装置。
【請求項４】
テーブルリフタの底部に該テーブルリフタを移動可能にする転動方向自在輪を付設したことを特徴とする請求項２または３に記載の円筒状重量物支持装置。
【発明の詳細な説明】
【技術分野】
【０００１】
本発明は、ポンプやタンクのような円筒状の重量物を所定部位に横向き状に取り付け、或いは取り外しするに際し、該円筒状重量物を昇降、移動、および回転可能に支持することで、その取り付け或いは取り外し作業を補助する装置に関するものである。
【背景技術】
【０００２】
例えば、冷凍設備機器の床下等、狭い個所にボルトによって固定された重いタンクやポンプ、或いは、大型モータ等の円筒状重量物をメンテナンスのために取り外そうとすると、従来では少なくとも二人の作業者が機器床下にかがんだ窮屈な姿勢でその重量物を手で支えつつ、これとは別の作業者がボルトを緩めなければならなかった。そのため、当該作業に多くの作業者が必要になるとともに、窮屈な作業姿勢を強いることから、腰痛の原因となったり、或いは作業中に重量物を足元に落下させたり、手・指を挟むおそれがあるなどの危険を伴い、故に、作業を常時注意深く進行させなければならず、作業に時間が掛かり作業効率がよくないなどの問題があった。また、この円筒状重量物を設備機器に取り付ける際にも、作業者が機器床下に不自然な姿勢となって該重量物を移動させ、ボルトを挿通するための取付孔を位置合わせ（芯出し）しなければならないので、さらに大変な重労働となる等の問題もあった。
【０００３】
一方、下記特許文献１に示された円形長尺物の昇降台車は、スプリングを介して揺動可能に吊り下げられた枠体に一対のフリーロールを設け、該フリーロール上に円形長尺物を回転自在に支持することにより、該円形長尺物を上下／左右／前後に細かく移動できるように支持し、該円形長尺物をピン，ボルト等で取り付ける際にその取付孔の芯出しを容易に行えるようにするものである。
また下記特許文献２に示された原反用運搬車は、製紙工場や印刷工場などで長尺紙やフィルムなどの巻物を運搬するために使用される運搬車であって、起立状態に保管された巻物を台車上に掬上げられるように構成され、巻物の設置作業を容易にするものである。
さらに下記特許文献３〜７には、自動車のタイヤ交換を容易にするためのタイヤ着脱装置が縷々記載されている。
【特許文献１】特開平８−１３３０８８号公報
【特許文献２】特開昭６３−２８７６６９号公報
【特許文献３】実用新案登録第３０６５９０１号公報
【特許文献４】特公昭４４−１２５８号公報
【特許文献５】特開平１１−１１５４２２号公報
【特許文献６】特開２００２−１５４４３７号公報
【特許文献７】特開２００３−１９１７０４号公報
【発明の開示】
【発明が解決しようとする課題】
【０００４】
ところで、特許文献１に示された昇降台車では、スプリングを伸縮させることにより支持物である円形長尺物を微小に移動できるものであるが、スプリングの伸縮可能範囲によって移動範囲が限定されると共に、支持物の重量が略一定であることを要するので汎用性がないという問題があった。
また、特許文献２に示された原反用運搬車では、運搬車上に横置した円筒状重量物を長手方向に移動させられないので、この運搬車を使用して該円筒状重量物を所要部位に着脱しようとしても、円筒状重量物を自由に微小移動させ上記のように取付孔を芯合わせする作業が困難を伴うものであった。
また、上記特許文献３〜７に記載された装置は、いずれもタイヤ交換のために創案されたものであるので、タンクやポンプ等、種々の大きさの円筒状重量物（特に円形長尺物）を支持することに対処できないものであった。
【課題を解決するための手段】
【０００５】
本発明は上記のような課題を解決するための円筒状重量物支持装置を提供するもので、受台上に適宜間隔を離して平行に固設された一対のガイドレールと、両端部を夫々前記ガイドレールに支持することにより該ガイドレールに沿って夫々独立して摺動自在なるように設けられた一対の支持フレームと、該各支持フレームをガイドレールの適宜位置に固定させる位置固定手段と、該各支持フレーム上に適宜間隔を離して設けられ円筒状重量物を横置き状に載置することで該円筒状重量物を回転自在に支持する一対のローラとからなることを特徴とする。
また本発明は、上記円筒状重量物支持装置において、受台はテーブルリフタにより昇降動可能に支持されていることを特徴とする。
また本発明は、上記円筒状重量物支持装置において、支持フレーム上に設けられた一対のローラの間隔を円筒状重量物の外径に合わせて調節し得るようにしたことを特徴とする。
また本発明は、上記円筒状重量物支持装置において、テーブルリフタの底部に該テーブルリフタを移動可能にする転動方向自在輪を付設したことを特徴とする。
【発明の効果】
【０００６】
請求項１に記載の支持装置では、個々の円筒状重量物の長さに合わせて一対の支持フレームの設定間隔を調整することができることから種々の長さの円筒状重量物を横置き状に安定して支持でき汎用性がある。また、支持フレームを位置固定させる手段を設けたことにより、移動時等に揺動しても円筒状重量物を脱落させるおそれがない。そして、該円筒状重量物の支持位置および回転状態を微細に調節できるので、円筒状重量物を横向き状に取り付け、或いは取り外す作業を少ない人員で安全にしかも効率よく実施できるようになる。
請求項２に記載の支持装置では、テーブルリフタにより受台を昇降させ円筒状重量物の高さを自在に調節可能となる。
請求項３に記載の支持装置では、種々の外径の円筒状重量物を安定的に回転可能に支持でき汎用性がある。
請求項４に記載の支持装置では、テーブルリフタを左右／前後に自在方向に移動できるようにする。
【発明を実施するための最良の形態】
【０００７】
図１は本発明に係る円筒状重量物支持装置の外観斜視図、図２はその平面図、図３はそのＸ−Ｘ線断面図である。図中、１はテーブルリフタで、該テーブルリフタは長方形状の台枠２上に支点軸４にて開閉可能なＸ脚状に支持脚３ａ，３ｂを設け、該支持脚３ａ，３ｂ上に長方形板状の受台５が水平に支持されている。そして、一方の支持脚３ａの横架軸６に油圧シリンダ７の基端部を連結し、該油圧シリンダ７の作動軸８先端を他方の支持脚３ｂの横架軸９に連結している。このため油圧シリンダ７を油圧ポンプ（図示せず）に接続し作動油を送給することにより、該支持脚３ａ，３ｂが開閉し、受台５を水平状態を維持しつつ昇降動するように構成されている。１０は台枠２の４隅に突設したタイヤハウス１２内に設けられた転動方向自在輪（キャスター）で、該テーブルリフタは該転動方向自在輪によって支持されることにより水平な床面上を四方に軽く移動可能なるようにしている。なお、１１は該転動方向自在輪に設けられたブレーキペダルで、該ブレーキペダルを操作することにより該自在輪の回転を止められ該テーブルリフタを移動不能に停止できる。
【０００８】
しかして、受台５上面の一方の長側辺寄りに側面Ｌ字形の一対の起立片１４ａ，１４ｂを相対するように夫々ボルトにより固設し、該起立片に丸棒状のガイドレール１３ａの両端部を貫挿しナット１５を締着するとともに、受台５上面の他方の長側辺寄りに側面Ｌ字形の一対の起立片１４ｃ，１４ｄを相対するように夫々ボルトにより固設し、該起立片に丸棒状のガイドレール１３ｂの両端部を貫挿しナット１５を締着することにより、この一対の丸棒状のガイドレール１３ａ，１３ｂを受台５上に適宜間隔を離して平行に固設している。１６ａ，１６ｂは該ガイドレール１３ａ，１３ｂと直交状に配置された長方形板状の一対の支持フレームで、該支持フレーム１６ａの両端部上面に軸受体１７ａ，１７ｂを固着し、該支持フレーム１６ｂの両端部上面に軸受体１７ｃ，１７ｄを固着し、一方の軸受体１７ａ，１７ｃにガイドレール１３ａを貫挿し、他方の軸受体１７ｂ，１７ｄにガイドレール１３ｂを貫挿することにより、該各支持フレーム１６ａ，１６ｂを該ガイドレール１３ａ，１３ｂに沿って夫々独立して進退自在なるように設けている。なお、該各支持フレーム１６ａ，１６ｂはその下面が受台５の上面から少し離間するように支持され、該支持フレーム１６ａ，１６ｂの進退動が妨げられないようにしている。
【０００９】
また、１８は該各支持フレーム１６ａ，１６ｂをガイドレール１３ａ，１３ｂの適宜位置に固定させるために設けられた位置固定手段で、該位置固定手段は、ガイドレール１３ａ，１３ｂと同程度の長さの硬質のフラットバー１９に透孔２０を略全長に亘って開設し、該フラットバーの一端を固着部材としてのボルト２１により軸受体１７ａの外側面に固着し、係止部材としての蝶螺子２２を該透孔２０に遊挿して該蝶螺子２２を軸受体１７ｃの外側面に螺合し、さらに係止部材としての蝶螺子２３を該透孔２０に遊挿して該蝶螺子２３を起立片１４ｂの外側面に螺合してなる。このため蝶螺子２２および蝶螺子２３を緩めた状態では両支持フレーム１６ａ，１６ｂは夫々独立して進退自在となり、一方の蝶螺子２３を締結することにより支持フレーム１６ａを適宜位置にて進退動不能に固定でき、他方の蝶螺子２２を締結することにより支持フレーム１６ｂを適宜位置に進退動不能に固定できる。
【００１０】
また、支持フレーム１６ａ上に一対のローラ２５ａ，２６ａを前記ガイドレール１３ａ，１３ｂと直交する面内にて回転自在なるように夫々軸支体２７ａに支承させることにより適宜間隔を離して設けるとともに、支持フレーム１６ｂ上に一対のローラ２５ｂ，２６ｂを回転自在なるように同じく夫々軸支体２７ｂに支承させることにより適宜間隔を離して設ける。２８は支持フレーム１６ａ，１６ｂにガイドレール１３ａ，１３ｂと直交する方向に長手なるように開設された長孔で、該長孔２８は該各支持フレーム１６ａ，１６ｂの中央部から両端部寄り亘り２条平行なるように開設される。また、軸支体２７ａ，２７ｂは側面Ｌ字形に形成されているとともにローラを回転自在に支承し得るように上半部が二股状に形成されたもので、該各軸支体を支持フレーム１６ａ，１６ｂの各長孔２８上に起立状に配置し、固定部材であるボルト２９ａを隣り合う各長孔２８と該各軸支体２７ａ，２７ｂの基部に２本宛貫挿し、該各ボルト２９ａにナット２９ｂを締め付けることにより該各軸支体２７を支持フレーム１６ａ，１６ｂの上面に固定している。このため、該各ナット２９ｂを緩めることにより、該各軸支体は長孔２８に沿って移動可能となり、ローラ２５ａ，２６ａの間隔、およびローラ２５ｂ，２６ｂの間隔を適宜調節（図３に破断線で示す。）できるようにしている。
【００１１】
この支持装置では、キャンドポンプ等の円筒状重量物３０の外径に合わせてローラ２５ａ，２６ａおよびローラ２５ｂ，２６ｂの間隔を微調節するとともに、蝶螺子２２，２３を緩め、該円筒状重量物３０の長さに合わせて支持フレーム１６ａ，１６ｂの間隔を適宜調節することにより、図４，図５に使用状態を例示したように、該円筒状重量物３０がこの４個のローラ上に安定して横置き状に載置されるようにする。そして、該テーブルリフタ１を転動方向自在輪１０を備えていることから水平方向に自由に移動させることができる。なおこの移動時には蝶螺子２２，２３を締めることで両支持フレーム１６ａ，１６ｂを位置固定できることから円筒状重量物３０を無用に揺動させ脱落させるようなおそれがない。
【００１２】
そして所要作業位置に移動できたところでブレーキペダル１１を操作し該テーブルリフタ１を移動不能に停止させ、油圧シリンダ７に接続された油圧ポンプを作動させて該油圧シリンダ７を伸縮動させ、受台５を昇降させることにより該円筒状重量物３０の支持高さを調節する。また、蝶螺子２３を緩めることでガイドレール１３ａ，１３ｂに沿って支持フレーム１６ａ，１６ｂを摺動可能となり該円筒状重量物３０を細かく前後動させられるので、該円筒状重量物３０の一端に設けられたフランジ３１を例えば冷凍機本体３２の下部側面に形成されたフランジ３３に対し容易に位置合わせすることができ、その状態で上記４個のローラを滑動させ該円筒状重量物３０を微動回転させられるので、該フランジ３１の取付孔３１ａとフランジ３３の取付孔とを合致（芯出）させ、ボルト３４を容易に挿通または抜脱できるようになる。このように円筒状重量物３０の高さ，位置および回転状態を自在に調整できることによりボルト３４の着脱作業も容易になる。このため、この支持装置を使用することにより少人数の作業者でも安全に短時間で円筒状重量物３０を横向き状に取り付け、或いは取り外しできるようになる。
【産業上の利用可能性】
【００１３】
本発明に係る円筒状重量物支持装置は、個々の円筒状重量物の長さや外径に合わせて支持フレームやローラの間隔を調整できるので、円筒状重量物の大きさに対する汎用性がある。このため、実施形態に示したポンプを着脱する作業だけでなく、種々の円筒状重量物を所要部位に横向き状に着脱する際に使用でき、その作業環境を大幅に改善し得る可能性がある。
【図面の簡単な説明】
【００１４】
【図１】本発明の実施形態である円筒状重量物支持装置の斜視図。
【図２】本発明の実施形態である円筒状重量物支持装置の平面図。
【図３】図２のＸ−Ｘ線断面図。
【図４】本発明の実施形態である円筒状重量物支持装置の使用状態を示す側面図。
【図５】本発明の実施形態である円筒状重量物支持装置の使用状態を示す正面図。
【符号の説明】
【００１５】
１                                テーブルリフタ
５                                受台
１０                              転動方向自在輪
１３ａ，１３ｂ                    ガイドレール
１６ａ，１６ｂ                    支持フレーム
１７ａ〜１７ｄ                    軸受体
１８                              位置固定手段
１９                              フラットバー
２０                              透孔
２２，２３                        蝶螺子
２５ａ，２６ａ，２５ｂ，２６ｂ    ローラ
２７ａ，２７ｂ                    軸支体
３０                              円筒状重量物
【図１】
2006175961.tif 000003
【図２】
2006175961.tif 000004
【図３】
2006175961.tif 000005
【図４】
2006175961.tif 000006
【図５】
2006175961.tif 000007